(57)【特許請求の範囲】
【請求項１】
用紙を切断するための切断ユニットと、
前記用紙の搬送方向と交差する方向に前記切断ユニットを移動させる移動手段と、
前記移動手段を駆動するモータと、
前記モータの電流値を検出する検出手段と、
前記切断ユニットが移動開始位置から前記用紙幅を通過するまでに要する用紙切断時間と、前記切断ユニットが前記移動開始位置から切断終了後に停止する停止位置に到達するまでに要する移動時間と、を取得する取得手段と、
前記切断ユニットが前記移動開始位置から前記停止位置へ移動を開始した場合、前記取得手段により取得した用紙切断時間が経過してから前記移動時間が経過するまでの間に前記検出手段が検出する電流値に基づいて、前記移動時間を経過する前に前記モータの駆動を停止させる制御手段と、を備えることを特徴とする用紙切断装置。
【請求項２】
前記取得手段は、前記用紙の幅に関する情報及び前記切断ユニットの移動速度に関する情報に基づいて特定された前記用紙切断時間を取得することを特徴とする請求項１に記載の用紙切断装置。
【請求項３】
前記切断ユニットが前記停止位置に到達したことを検出する到達検出手段を備えることを特徴とする請求項１又は２に記載の用紙切断装置。
【請求項４】
前記制御手段は、前記電流値が閾値を超えたと判定した場合、前記移動時間を経過する前に前記モータの駆動を停止させることを特徴とする請求項１〜３のいずれか１項に記載の用紙切断装置。
【請求項５】
前記制御手段は、前記電流値の所定時間あたりの増加が閾値を超えたと判定した場合、前記移動時間を経過する前に前記モータの駆動を停止させることを特徴とする請求項１〜３のいずれか1項に記載の用紙切断装置。
【請求項６】
前記取得手段は、前記切断ユニットが前記停止位置から前記移動開始位置へ移動する際に前記モータに供給される電流が増加する加速時間と、前記切断ユニットが前記停止位置から前記開始位置に到達するまでに要する第２移動時間と、をさらに取得し、
前記制御手段は、前記切断ユニットが前記停止位置から前記移動開始位置へ移動を開始した場合、前記取得手段により取得した加速時間を経過してから前記第２移動時間が経過するまでの間に前記検出手段が検出する電流値に基づいて、前記第２移動時間を経過する前に前記モータの駆動を停止させることを特徴とする請求項１〜５のいずれか１項に記載の用紙切断装置。
【請求項７】
用紙を切断するための切断ユニットと、
前記用紙の搬送方向と交差する方向に前記切断ユニットを移動させる移動手段と、
前記移動手段を駆動するモータと、
前記モータの電流値を検出する検出手段と、
前記切断ユニットが切断終了後に停止する停止位置から移動開始位置へ移動する際に前記モータに供給される電流が増加する加速時間と、前記切断ユニットが前記停止位置から前記開始位置に到達するまでに要する移動時間と、を取得する取得手段と、
前記切断ユニットが前記停止位置から前記移動開始位置へ移動を開始した場合、前記取得手段により取得した加速時間を経過してから前記移動時間が経過するまでの間に前記検出手段が検出する電流値に基づいて、前記移動時間を経過する前に前記モータの駆動を停止させる制御手段と、を備えることを特徴とする用紙切断装置。
【請求項８】
前記取得手段は、前記用紙の幅に関する情報及び前記切断ユニットの移動速度に関する情報に基づいて特定された前記移動時間を取得することを特徴とする請求項７に記載の用紙切断装置。
【請求項９】
前記制御手段は、前記電流値が閾値を超えたと判定した場合、前記移動時間を経過する前に前記モータの駆動を停止させることを特徴とする請求項７又は８に記載の用紙切断装置。
【請求項１０】
前記制御手段は、前記電流値の所定時間あたりの増加が閾値を超えたと判定した場合、前記移動時間を経過する前に前記モータの駆動を停止させることを特徴とする請求項７〜９のいずれか1項に記載の用紙切断装置。
【請求項１１】
請求項１〜１０のいずれか１項に記載の用紙切断装置と記録ヘッドとを備えたことを特徴とする記録装置。
【発明の詳細な説明】
【技術分野】
【０００１】
本発明は、用紙切断装置及び記録装置に関する。
【背景技術】
【０００２】
従来、例えば、ロール紙に画像を記録する記録装置（例えば、プリンタ）が知られている。ロール紙に対して記録を行なう記録装置の場合、一般に、画像の記録が終わる度にロール紙を自動的に切断するカッター機構がその内部に備わっている。カッター機構は、その構成の違いにより、ある隙間に刃を突き立てるギロチン方式や、２枚の刃を交差させて用紙の端から切断するハサミ方式、等の様々な方式が知られている。なお、いずれの方式であっても、少なくとも１枚以上の刃が移動することによって用紙の切断が行なわれる。
【０００３】
カッター機構は、通常動作では問題なく動作していても、用紙のジャムが発生したり、カッター機構に異物が挟まったりした場合、刃を正常に稼動できず、ロック状態となる場合がある。これに対処するため、特許文献１には、ロック状態となった場合に、モータを逆回転させて刃を復帰させる技術が開示されている。
【先行技術文献】
【特許文献】
【０００４】
【特許文献１】特開平０５−３３７８７６号公報
【発明の概要】
【発明が解決しようとする課題】
【０００５】
一般に、装置本体の用紙開口部の端部とカッター機構との間に異物が挟まった場合に、上述したロック状態に陥ることが多い。一方で、用紙の切断中に異物が挟まった場合には、徐々に負荷が大きくなる状態が続くだけで、直ぐにロック状態にならないことが多い。
【０００６】
また、ロック状態の検出を電流を用いて行なうようにした場合、用紙切断中には、用紙の種類により負荷が異なるため、電流の変化が大きくなる。そのため、誤検出を起こしてしまう可能性がある。
【０００７】
ここで、例えば、用紙切断中にロック状態を検出した場合、記録装置は、モータを逆転させ、カッター機構をホームポジション等に移動させる。この場合、用紙は、途中まで切断された状態になる。このような一部が切断された用紙は、当該用紙の自重により途中まで切断させた切り口から裂けてしまうため、最悪の場合、記録画像部分が破けてしまう。
【０００８】
本発明は、上記課題に鑑みてなされたものであり、カッター機構に異物が挟まっているか否かの検出時の誤検出を抑制するとともに、用紙の切断処理を確実に行なえるようにした技術を提供することを目的とする。
【課題を解決するための手段】
【０００９】
上記課題を解決するため、本発明の一態様による用紙切断装置は、用紙を切断するための切断ユニットと、前記用紙の搬送方向と交差する方向に前記切断ユニットを移動させる移動手段と、前記移動手段を駆動するモータと、前記モータの電流値を検出する検出手段と、前記切断ユニットが移動開始位置から前記用紙幅を通過するまでに要する用紙切断時間と、前記切断ユニットが前記移動開始位置から切断終了後に停止する停止位置に到達するまでに要する移動時間と、を取得する取得手段と、前記切断ユニットが前記移動開始位置から前記停止位置へ移動を開始した場合、前記取得手段により取得した用紙切断時間が経過してから前記移動時間が経過するまでの間に前記検出手段が検出する電流値に基づいて、前記移動時間を経過する前に前記モータの駆動を停止させる制御手段と、を備える。
【発明の効果】
【００１０】
本発明によれば、カッター機構に異物が挟まっているか否かの検出時の誤検出を抑制するとともに、用紙の切断処理を確実に行なえる。
【図面の簡単な説明】
【００１１】
【図１】本発明の一実施の形態に係わる記録装置１０の外観構成の一例を示す図。
【図２】図１に示す記録装置１０の制御系の構成の一例を示す図。
【図３】図２に示すカッター機構２２０の概略構成の一例を示す図。
【図４】図２に示す機構制御回路２２１の制御系の構成及びＣＰＵ２１５上に実現される機能的な構成の一例を示す図。
【図５】実施形態１に係わる用紙切断処理の流れの一例を示すフローチャート。
【図６】実施形態２に係わる用紙切断処理の流れの一例を示すフローチャート。
【発明を実施するための形態】
【００１２】
以下、本発明の実施形態について図面を参照して詳細に説明する。なお、この明細書において、「記録」とは、文字、図形等有意の情報を形成する場合のみならず、有意無意を問わず、広く記録媒体上に画像、模様、パターン等を形成する、又は媒体の加工を行なう場合も表す。また、人間が視覚で知覚し得るように顕在化したものであるか否かを問わない。
【００１３】
また、「記録媒体」とは、一般的な記録装置で用いられる紙のみならず、広く、布、プラスチック・フィルム、金属板、ガラス、セラミックス、木材、皮革等、記録が可能なものも表す。
【００１４】
（実施形態１）
図１は、本発明の一実施の形態に係わる用紙切断装置を適用した記録装置１０の外観構成の一例を示す図である。なお、本実施形態においては、記録方式としてインクジェット方式を採用した記録装置を例に挙げて説明するが、インクジェット方式に限られない。例えば、電子写真方式などといった他の形式を採用した記録装置であっても良い。
【００１５】
記録装置１０は、インクジェット方式に従ってインクを吐出して記録を行なうインクジェット記録ヘッド（以下、記録ヘッドと呼ぶ）１０９をキャリッジ１０６に搭載し、キャリッジ１０６を主走査方向（Ｘ方向）に往復移動させて記録を行なう。キャリッジ１０６は、記録装置１０が記録動作を行なっていない場合、又は記録ヘッド１０９の回復動作を行なう場合、図中の点線に示すホームポジションに待機するように制御される。
【００１６】
記録装置１０は、記録媒体（本実施形態においては、ロール紙であり、以下、用紙と呼ぶ）Ｐを給紙ローラ１０５を用いて給紙し、記録位置まで搬送する。そして、その記録位置において各記録ヘッド１０９から用紙Ｐにインクを吐出することで記録を行なう。記録ヘッド１０９による１回の記録走査が終了すると、搬送ローラ１０３及び補助ローラ１０４が回転し、用紙Ｐは、記録ヘッド１０９の記録幅に対応した量だけ副走査方向（Ｙ方向）に搬送される。このような記録走査と搬送動作とを繰り返すことにより、用紙Ｐに画像が記録される。
【００１７】
記録ヘッド１０９には、記録素子として、例えば、電気熱変換体が設けられている。すなわち、記録ヘッド１０９は、熱エネルギを利用してインクを吐出する。電気熱変換体は、各吐出口に対応して設けられ、画像データに応じて対応する電気熱変換体にパルス電圧を印加する。これにより、対応する吐出口からインクが吐出される。なお、本実施形態においては、インクの吐出方式として、ヒータを用いてインクを吐出する場合について説明するが、これに限定されない。例えば、ピエゾ素子を用いた方式、静電素子を用いた方式、ＭＥＭＳ素子を用いた方式など、様々なインクジェット方式を採用しても良い。
【００１８】
記録装置１０のキャリッジ１０６には、記録ヘッド１０９の他、例えば、イエロ（Ｙ）、マゼンタ（Ｍ）、シアン（Ｃ）、ブラック（Ｂｋ）のインクをそれぞれ収容する４つのインクカートリッジが搭載される。インクカートリッジは、記録ヘッド１０９各々に対して供給するインクを貯留する。これら４つのインクカートリッジは、それぞれ独立して着脱できる。
【００１９】
図２は、図１に示す記録装置１０の制御系の構成の一例を示す図である。
【００２０】
ＣＰＵ（Central Processing Unit）２１５は、記録装置１０における各部の動作を統括制御する。ＲＯＭ（Read Only Memory）２２２は、ＣＰＵ２１５により実行されるプログラムを記憶する。なお、ＲＯＭ２２２は、書き込み可能に構成されていても良い。
【００２１】
ＲＡＭ（Random Access Memory）２２３は、各種データが一時的に格納される。例えば、ＣＰＵ２１５により各種処理が実施される際には、ワーク領域として利用される。不揮発性メモリ２２４は、例えば、ＥＥＰＲＯＭ等で実現され、電源オフ時にもその記憶内容を保持する。不揮発性メモリ２２４には、例えば、カッター機構２２０の移動速度等が保持される。
【００２２】
操作・表示部２２５は、ユーザインターフェースとして機能し、例えば、電源投入や、ホスト装置Ｈとのオンライン／オフラインの設定等、ユーザが所要の操作を行なうためのスイッチや、装置状態をユーザに提示するための表示器とを具備して構成される。
【００２３】
ホスト装置Ｈは、記録装置１０に対して画像データを供給する供給源として機能し、記録処理に係わる画像等のデータ作成や処理等を行なうコンピュータで実現される。なお、ホスト装置Ｈは、画像取り込み用のリーダ部、又はデジタルカメラ等として実現されても良い。
【００２４】
Ｉ／Ｆ（インターフェース）２２６は、ホスト装置Ｈ等と通信を行なう通信インターフェースとして機能する。例えば、画像データ、各種コマンドやステータス信号等は、このＩ／Ｆ２２６を介して送受信される。
【００２５】
記録ヘッド制御回路２１２は、記録ヘッド１０９を統括制御する。より具体的には、記録ヘッド１０９を電気的に制御し、画像データに応じてインクを吐出させる。
【００２６】
用紙判定用センサ２２８は、用紙を判定する機能を有し、例えば、キャリッジ１０６に搭載され、用紙Ｐの種類や用紙幅をアナログ値で検出する。当該検出されたアナログ値は、ＡＤコンバータ２２９によってデジタル値に変換された後、ＣＰＵ２１５に入力される。すなわち、ＣＰＵ２１５においては、ＡＤコンバータ２２９を介して受信したデジタル値に基づいて用紙の種類や用紙幅の判定を行なう。なお、用紙幅とは、用紙の搬送方向に直交する方向（直交方向）に関する用紙の幅を示す。
【００２７】
記録装置１０には、複数のモータ２１６〜２１８及び２２７が設けられる。主走査モータ２１６は、図１に示すＸ方向（主走査方向）に記録ヘッド１０９を走査させるための駆動源である。副走査モータ２１７は、図１に示すＹ方向（副走査方向）に用紙Ｐを搬送するための駆動源である。回復動作モータ２１８は、回復処理ユニットを動作させるための駆動源である。カッターモータ２２７は、用紙Ｐを切断するためのカッター機構２２０を動作させるための駆動源である。
【００２８】
機構制御回路２２１は、各種モータやアクチュエータ、各種センサ等を統括制御する。カッター機構２２０は、用紙切断機構としての機能を有し、用紙を切断する。タイマー２１９は、各種時間を計時する。以上が、記録装置１０における制御系の構成の一例についての説明である。
【００２９】
次に、図３を用いて、図２に示すカッター機構２２０の概略構成の一例について説明する。カッター機構２２０は、図３に示すように、用紙１０７の搬送方向と交差する方向に移動する。
【００３０】
カッター機構２２０には、上刃４０２と下刃４０３とが設けられる。上刃４０２及び下刃４０３は、用紙１０７（図１に示す用紙Ｐに対応する）の基準側に設置され、ループ状のワイヤ４０８に固定されている。ワイヤ４０８は、カッターモータ２２７に設けられる駆動プーリ４０４と、ホームポジション（ＨＰ）側にある徒動プーリ４０５とにより移動可能に支持される。なお、ここでは、用紙１０７の搬送方向の直交方向に沿った一端（用紙切断開始時のカッター機構２２０の停止位置側）をＨＰとするとともに、その他端をＢＰとする。
【００３１】
駆動プーリ４０４が回転駆動されると、ワイヤ４０８が移動する。このワイヤ４０８の移動によりカッター機構２２０は、レール４０９に沿って左右に移動する。そして、このカッター機構２２０の移動によって用紙１０７が所定の長さに切断される。用紙１０７の切断後、カッター機構２２０は更に移動してバックポジション（ＢＰ）側に到達する。
【００３２】
ＢＰ側にカッター機構２２０が到達すると、ＢＰ側の停止位置検出センサ（バックポジション側停止位置検出センサ）４０７がオンされる。すると、この検出信号を受けてＣＰＵ２１５は、カッターモータ２２７の回転を一瞬逆回転させ、カッター機構２２０にブレーキをかけて停止させる。このとき、カッター機構２２０は、慣性によって瞬時に停止せず移動してしまうが、ＢＰ側のＢＰストッパ４１２に接触し停止する。切断された用紙は、図示しない搬送ローラにより所定の方向へ搬送され、開口部４１０から排紙される。
【００３３】
切断された用紙は、搬送ローラによりその先端部が引き戻される。また、カッターモータ２２７は、逆回転し、カッター機構２２０をＨＰ側へ移動させる。カッター機構２２０がＨＰ側に到達すると、ＨＰ側の停止位置検出センサ（ホームポジション側停止位置検出センサ）４０６がオンされる。すると、この検出信号を受けたＣＰＵ２１５は、カッターモータ２２７の回転を一瞬逆回転させ、カッター機構２２０にブレーキをかけて停止させる。カッター機構２２０は、ＨＰ側のＨＰストッパ４１１に接触し停止する。また、キャリッジ１０６に設けられた用紙判定用センサ２２８においては、用紙１０７の種類及び用紙幅の判定が行なわれる。
【００３４】
次に、図４を用いて、図２に示す機構制御回路２２１の制御系の構成及びＣＰＵ２１５上に実現される機能的な構成の一例について説明する。ここでは、特に、カッターモータ２２７の駆動電流の電流値を検出する機構の構成について説明する。
【００３５】
機構制御回路２２１は、ＣＰＵ２１５に接続されている。そのため、ＣＰＵ２１５は、機構制御回路２２１を介してカッターモータ２２７の制御を行なう。カッターモータ２２７は、カッターモータ＋相３０４とカッターモータ−相３０５とに接続されている。
【００３６】
機構制御回路２２１は、ＣＰＵ２１５からの命令に基づいて、カッターモータ２２７の駆動制御を行なう。ここで、機構制御回路２２１内部には、モータドライバ制御回路３０１と、モータドライバ回路３０２と、電流検出部３０３とが設けられる。モータドライバ回路３０２は、カッターモータ２２７を駆動させ、モータドライバ回路３０２は、モータドライバ回路３０２を制御する。また、電流検出部３０３は、カッターモータ２２７の駆動時に発生する電流を検出する。これにより、電流検出部３０３は、カッターモータ２２７における駆動電流の電流値を検出できる。
【００３７】
ここで、ＣＰＵ２１５上に実現される機能的な構成の一例について説明する。ＣＰＵ２１５上には、機能的な構成として、用紙判定部３１１と、算出部３１２と、駆動制御部３１３とが実現される。なお、ＣＰＵ２１５上に実現される機能構成は、例えば、ＣＰＵ２１５が、ＲＯＭ２２２等に格納された各種制御プログラムを実行することにより実現される。
【００３８】
用紙判定部３１１は、用紙判定用センサ２２８からの出力値に基づいて用紙の種類や用紙幅の判定を行なう。
【００３９】
算出部３１２は、用紙判定部３１１により判定された用紙の種類及び用紙幅の値と、（予め保持された）カッター機構２２０の移動速度とに基づいて、用紙の切断に係わる各種情報を算出する。具体的には、用紙切断時間と、用紙切断時センサ到達時間と、用紙未切断時センサ到達時間と、加速時間とを算出する。
【００４０】
ここで、これら用紙の切断に係わる情報について図３を参照して説明する。
【００４１】
用紙切断時間４２１は、カッター機構２２０がＨＰから用紙幅（主走査方向への用紙の長さを示す）を通過するまでの時間であり、カッター機構２２０がＨＰからの移動を開始した時点から搬送経路上を搬送される用紙を切断するまでの時間を示す。
【００４２】
用紙切断時センサ到達時間（バックポジション到達時間）４２２は、カッター機構２２０がＨＰからの移動を開始した時点からＢＰ側の停止位置検出センサ４０７に到達するまでの時間を示す。すなわち、用紙切断時センサ到達時間４２２は、用紙の切断時にカッター機構２２０がＨＰとＢＰとの間の移動に要する時間を示す。
【００４３】
用紙未切断時センサ到達時間（ホームポジション到達時間）４２４は、カッター機構２２０がＢＰからの移動を開始した時点からＨＰ側の停止位置検出センサ４０６に到達するまでの時間を示す。すなわち、用紙未切断時センサ到達時間４２４は、用紙の未切断時にカッター機構２２０がＨＰとＢＰとの間の移動に要する時間を示す。
【００４４】
加速時間（加速制御期間）４２３は、カッター機構２２０がＢＰ側からＨＰ側に加速される時間（期間）である。加速時間４２３は、カッターモータ２２７に通電される駆動電流が増加する期間である。この加速時間４２３の後、カッター機構２２０は、当該加速時間４２３中にカッターモータ２２７により与えられた駆動力に従ってＨＰ側に移動することになる。図３の場合、加速時間４２３は、ＢＰ側の用紙端４１３に到達する前に終わっているが、これに限られず、加速時間４２３は、カッター機構２２０の走査範囲等に従って、決めれば良い。
【００４５】
駆動制御部３１３は、カッターモータ２２７への駆動電流の通電を制御して、カッター機構２２０によるＨＰとＢＰとの間における移動を制御する。また、駆動制御部３１３は、電流検出部３０３により検出される駆動電流の電流値の変化や、ＨＰ側及びＢＰ側の停止位置検出センサ４０６及び４０７の出力値に基づいてカッター機構２２０の移動（駆動）の停止を制御する。
【００４６】
次に、図５を用いて、図１に示す記録装置１０における用紙切断処理の流れの一例について説明する。
【００４７】
記録装置１０において、用紙上への画像の記録が終了すると、この処理は開始する。この処理が開始すると、記録装置１０は、まず、算出部３１２において、用紙判定部３１１により判定された用紙の種類及び用紙幅の値と、カッター機構２２０の移動速度とに基づいて、用紙の切断に係わる各種情報を取得する（Ｓ５０１）。具体的には、用紙切断時間と、用紙切断時センサ到達時間と、用紙未切断時センサ到達時間と、加速時間とを算出する。
【００４８】
次に、記録装置１０は、駆動制御部３１３において、カッターモータ２２７の駆動を開始させ、カッター機構２２０をＢＰ側に向けて移動させる。すなわち、カッター機構２２０による用紙の切断動作を開始させる。また、タイマー２１９の計時も開始させる（Ｓ５０２）。
【００４９】
ここで、記録装置１０は、用紙切断時間が経過するまで待機する（Ｓ５０３でＮＯ）。そして、当該時間が経過すると（Ｓ５０３でＹＥＳ）、記録装置１０は、駆動制御部３１３において、各種情報に基づいてカッター機構２２０の移動（駆動）の停止を制御する。具体的には、用紙切断時センサ到達時間が経過したか否か、駆動電流の電流値が監視閾値を越えたか否か、ＢＰ側の停止位置検出センサ４０７がオンになったか否かに基づいてカッター機構２２０の駆動を制御する。このように本実施形態においては、駆動電流の電流値の監視は、用紙切断時間が経過した時点から用紙切断時センサ到達時間が経過するまでの間に行なわれる。
【００５０】
ここで、用紙切断時センサ到達時間が経過した場合（Ｓ５０４でＹＥＳ）、記録装置１０は、駆動制御部３１３において、カッター機構２２０の移動を停止させる（Ｓ５０７）。一方、用紙切断時センサ到達時間が経過する前に、駆動電流の電流値が監視閾値を越えていれば（Ｓ５０５でＹＥＳ）、記録装置１０は、駆動制御部３１３において、カッター機構２２０の移動を停止させる（Ｓ５０７）。なお、ここでは、駆動電流の電流値が監視閾値（第１の閾値）を越えているか否かを判定しているが、所定時間あたりにおける駆動電流の電流値の増加が所定の閾値（第２の閾値）を越えているか否かを判定するようにしても良い。
【００５１】
また、用紙切断時センサ到達時間が経過する前に、ＢＰ側の停止位置検出センサ４０７がオンになれば（Ｓ５０６でＹＥＳ）、記録装置１０は、駆動制御部３１３において、カッター機構２２０の移動を停止させる（Ｓ５０７）。
【００５２】
上述したＳ５０１〜Ｓ５０７の処理により用紙を切断したカッター機構２２０はＢＰに停止した状態となる。ここで、記録装置１０は、駆動制御部３１３において、カッター機構２２０を元の位置に戻すため（ＨＰ側に移動させるため）、カッターモータ２２７を逆転駆動し、カッター機構２２０をＨＰ側に向けて移動させる。また、タイマー２１９をリセットした後、再度、タイマー２１９の計時を開始させる（Ｓ５０８）。
【００５３】
ここで、記録装置１０は、加速時間（加速制御期間）が経過するまで待機する（Ｓ５０９でＮＯ）。すなわち、加速時間（加速制御期）中には、カッターモータ２２７に通電される駆動電流が急激に増加しているため、この期間中には、駆動電流の監視は行なわない。これにより、本実施形態においては、加速時間中に駆動電流が増加したことに伴って、異物が挟まっていると誤検出してしまうことを抑制する。
【００５４】
加速時間が経過（加速制御期間が終了）すると（Ｓ５０９でＹＥＳ）、記録装置１０は、駆動制御部３１３において、各種情報に基づいてカッター機構２２０の移動（駆動）の停止を制御する。具体的には、用紙未切断時センサ到達時間が経過したか否か、駆動電流の電流値が監視閾値を越えたか否か、ＨＰ側の停止位置検出センサ４０６がオンになったか否かに基づいてカッター機構２２０の駆動を制御する。このように本実施形態においては、駆動電流の電流値の監視は、加速時間が経過した時点から用紙未切断時センサ到達時間が経過するまでの間に行なわれる。
【００５５】
ここで、用紙未切断時センサ到達時間が経過した場合（Ｓ５１０でＹＥＳ）、記録装置１０は、駆動制御部３１３において、カッター機構２２０の移動を停止させる（Ｓ５１３）。一方、用紙未切断時センサ到達時間が経過する前に、駆動電流の電流値が監視閾値を越えていれば（Ｓ５１１でＹＥＳ）、記録装置１０は、駆動制御部３１３において、カッター機構２２０の移動を停止させる（Ｓ５１３）。なお、ここでは、駆動電流の電流値が監視閾値（第１の閾値）を越えているか否かを判定しているが、上記同様に、所定時間あたりにおける駆動電流の電流値の増加が所定の閾値（第２の閾値）を越えているか否かを判定するようにしても良い。
【００５６】
また、用紙未切断時センサ到達時間が経過する前に、ＨＰ側の停止位置検出センサ４０６がオンになれば（Ｓ５１２でＹＥＳ）、記録装置１０は、駆動制御部３１３において、カッター機構２２０の移動を停止させる（Ｓ５１３）。このＳ５０８〜Ｓ５１３の処理によりカッター機構２２０は、ＨＰに停止した状態となり、元のポジションに復帰する。
【００５７】
以上説明したように実施形態１によれば、用紙の切断に際しては、カッター機構２２０による用紙の切断が完了した時点からＢＰに到達するまでの間、カッターモータ２２７の駆動電流の電流値を監視する。
【００５８】
また、カッター機構２２０の位置をＢＰからＨＰに復帰させる際には（用紙未切断時）、カッター機構２２０の加速時間が経過した後、当該カッター機構２２０がＨＰに到達するまでの間、カッターモータ２２７の駆動電流の電流値を監視する。
【００５９】
これにより、カッターモータ２２７の駆動電流が安定している状態時に、カッター機構２２０に異物が挟まっているか否かの検出を行なうことができるため、当該異物検出時の誤検出を抑制できる。
【００６０】
また、異物が挟まったことを検出した場合であっても、カッター機構２２０を直ぐに停止させず、用紙の切断後に停止させる。そのため、用紙の自重による切断を避けることができるので、記録画像部分が破けてしまうといったことも起こらない。
【００６１】
（実施形態２）
次に、実施形態２について説明する。なお、実施形態２に係わる記録装置１０の構成は、実施形態１を説明した図１〜図４と同様となるため、その説明については省略し、ここでは、実施形態１と相違する点について重点的に説明する。まず、構成上の相違点としては、実施形態２においては、ＢＰ側の停止位置検出センサ４０７を省略できる。
【００６２】
ここで、図６を用いて、実施形態２に係わる用紙切断処理の流れの一例について説明する。
【００６３】
記録装置１０において、用紙上への画像の記録が終了すると、この処理は開始する。この処理が開始すると、記録装置１０は、まず、算出部３１２において、用紙判定部３１１により判定された用紙の種類及び用紙幅の値と、カッター機構２２０の移動速度とに基づいて、用紙の切断に係わる各種情報を取得する（Ｓ６０１）。具体的には、用紙切断時間と、用紙未切断時センサ到達時間と、加速時間とを算出する。すなわち、実施形態２においては、用紙切断時センサ到達時間の算出は行なわない。なお、実施形態２における用紙未切断時センサ到達時間は、カッター機構２２０が、用紙の切断の完了位置からの移動を開始した時点からＨＰ側の停止位置検出センサ４０６に到達するまでの時間を示す。
【００６４】
次に、記録装置１０は、駆動制御部３１３において、カッターモータ２２７の駆動を開始させ、カッター機構２２０をＢＰ側に向けて移動させる。すなわち、カッター機構２２０による用紙の切断動作を開始させる。また、タイマー２１９の計時も開始させる（Ｓ６０２）。
【００６５】
ここで、記録装置１０は、用紙切断時間が経過するまで待機する（Ｓ６０３でＮＯ）。そして、当該時間が経過すると（Ｓ６０３でＹＥＳ）、記録装置１０は、駆動制御部３１３において、カッター機構２２０の移動（駆動）を停止させる（Ｓ６０４）。
【００６６】
上述したＳ６０１〜Ｓ６０４の処理により用紙を切断したカッター機構２２０は、用紙の切断が完了した位置に停止した状態となる。ここで、記録装置１０は、カッター機構２２０を元の位置に戻すため（ＨＰ側に移動させるため）、実施形態１を説明した図５のＳ５０８〜Ｓ５１３と同様の処理を実施する（Ｓ６０５〜Ｓ６１０）。これにより、カッター機構２２０は、ＨＰに停止した状態となり、元のポジションに復帰する。
【００６７】
以上説明したように実施形態２によれば、カッター機構２２０により用紙が切断されると、その切断の完了位置からカッター機構２２０をＨＰに戻す。なお、カッター機構２２０の位置をＨＰに復帰させる際には、実施形態１同様に、カッター機構２２０の加速時間が経過した後、当該カッター機構２２０がＨＰに到達するまでの間、カッターモータ２２７の駆動電流の電流値を監視する。
【００６８】
これにより、上述した実施形態１と同様の効果が得られるのに加えて、用紙切断処理に要する時間を短縮させられる。また、ＢＰ側の停止位置検出センサ４０７を省略できるため、その分、コストの抑制も図れる。
【００６９】
以上が本発明の代表的な実施形態の一例であるが、本発明は、上記及び図面に示す実施形態に限定することなく、その要旨を変更しない範囲内で適宜変形して実施できるものである。
【００７０】
例えば、上述した説明では、用紙判定部３１１において、用紙判定用センサ２２８からの出力値に基づいて用紙の種類や用紙幅の判定を行なっていたが、これに限られない。例えば、用紙判定部３１１において、ユーザからの手動入力された用紙の種類やサイズ等に基づいて用紙の判定を行なうように構成しても良い。
【００７１】
また、上述した記録装置１０の代わりに、ファックス装置や、スキャナ部及びプリンタ部等の機能を備えた装置（複写機などと称される）、その構成にファックス部等の機能を加えた装置（複合機などと称される）等に上述した用紙切断装置を適用しても良い。
【００７２】
また、上述した説明では、用紙としてロール紙を切断する場合を例に挙げて説明したが、カット紙に対して上述した切断処理を行なうようにしても良い。
【図１】
0005800518.tif 000002
【図２】
0005800518.tif 000003
【図３】
0005800518.tif 000004
【図４】
0005800518.tif 000005
【図５】
0005800518.tif 000006
【図６】
0005800518.tif 000007